(57)【要約】【課題】持運びの際に内部の水がこぼれ難い釣り用バケツを提供すること【解決手段】バケツ本体１２の開口１４に、柔軟性を有する合成樹脂材料で一体成型したトレー１６を着脱自在に配置し、この開口１４を閉塞可能とした釣り用バケツ。【選択図】    図５
2004229510.tif 000002
【特許請求の範囲】
【請求項１】
バケツ本体の開口に、柔軟性を有する合成樹脂材料で一体成型したトレーを着脱自在に配置し、前記開口を閉塞可能としたことを特徴とする釣り用バケツ。
【請求項２】
前記トレーは、合成樹脂製シート材から熱プレスにより成型されることを特徴とする請求項１に記載の釣り用バケツ。
【請求項３】
前記トレーは、バケツ本体の開口に嵌合するときに、変形可能であることを特徴とする請求項１または２に記載の釣り用バケツ。
【発明の詳細な説明】
【０００１】
【発明の属する技術分野】
本発明は、釣行に携行するのに適した釣り用バケツに関する。
【０００２】
【従来の技術】
一般に、釣行に携行する釣用容器には、例えば釣上げた魚を保管する保冷容器、種々の釣用小物類を収容する釣具用容器、更に、例えば用具入れ、餌の調合、水汲みあるいは釣上げた魚の保管等の種々の用途に用いられる釣り用バケツ等の種々のものがある。
【０００３】
このような釣用容器のうちでも、保冷容器には、容器本体の上部開口部の周囲を覆うスカートを一体形成した天板部分を有する蓋と、この上部開口部を開閉する内蓋とを有し、この内蓋の周部と上部開口の周部とをジッパーファスナで閉じ、冷気の漏れを防止したものがある（例えば特許文献１参照）。
【０００４】
また、釣具用容器には、容器本体の開口部を覆うトレーに、浅底の収納部を回動自在に取付け、トレーを開けたときに、この収納部に収納した小物の出し入れを容易に行うことができるようにしたものがある（例えば特許文献２参照）。
【０００５】
【特許文献１】
特開２０００−１７７７８２  （第２頁、図４）
【０００６】
【特許文献２】
特開２００２−２１８８８７  （第３頁、図２、図４、図５）
【０００７】
【発明が解決しようとする課題】
しかし、釣り用バケツは、バケツ本体が体に当っても痛くないような柔軟性を有する材料で形成され、内部に水を入れた状態で持運ぶこともある。このような柔軟なバケツ本体で水を運ぶ場合には、バケツ本体が水の重さで変形し、水が外部に零れやすい。しかも、従来の保冷容器の内蓋、あるいは、釣具用容器のトレーに設けられる収納部の構造では、内部に収容した水が揺れると、トレーを閉じた状態であっても、開口から零れやすい。
【０００８】
本発明はこのような事情に基づいてなされたもので、持運びの際に内部の水がこぼれ難い釣り用バケツを提供することを目的とする。
【０００９】
【課題を解決するための手段】
上記目的を達成する本発明の釣り用バケツは、バケツ本体の開口に、柔軟性を有する合成樹脂材料で一体成型したトレーを着脱自在に配置し、前記開口を閉塞可能としたことを特徴とする。
【００１０】
【発明の実施の形態】
図１から図５は、本発明の好ましい実施形態による釣り用バケツ１０を示す。本実施形態では、釣り用バケツ１０を持運びの際に内部の水がこぼれ難い構造に形成してあり、主に撒き餌を入れ、その中で撒き餌を作成し、釣具を収納し、あるいは魚入れとして好適に用いることができる。
【００１１】
図１から図３に示すように、本実施形態の釣り用バケツ１０は、底壁部と４つの側壁部とを有する角形の箱状バケツ本体１２を有し、このバケツ本体１２の上方開口１４（図３）をトレー１６で開閉することができる。更に、この釣り用バケツ１０は、上方開口１４をトレー１６で閉塞したときに、このトレー１６の上方からバケツ本体１２の開口１４を覆う蓋体１８を備えている。これらのトレー１６と蓋体１８とは、それぞれヒンジ１７，１９によりそれぞれバケツ本体１２の側壁部２０に取付けられ、開口１４を開閉することができる。なお、ヒンジ１７，１９の双方を同じ側に配置することに代え、それぞれ異なる側に配置してもよい。
【００１２】
更に、本実施形態の釣り用バケツ１０は、バケツ本体１２の対向する側壁部２０の外側で、上方開口１４の近部に携帯用の一対のハンドル２２を取付けられている。このハンドル２２は、それぞれ可撓性を有する合成樹脂により略コ字状形状に形成し、バケツ本体１２の側壁部２０に固着した補強材を兼ねる保持具２４を介して、取り付けられている。このハンドル２２は、図１に示すようにバケツ本体１２から上方に突出する起立位置と、図２および図３に示すようにバケツ本体１２の外側に倒した倒伏位置との間を移動することができる。
【００１３】
このようなハンドル２２と共に、あるいは、ハンドルに代えて図示しないショルダーベルトを設けてもよい。勿論、バケツ本体１２の側壁部２０以外にも、このような携帯用のハンドル２２およびショルダーベルトの一方あるいは双方をトレー１６あるいは蓋体１８に設けることも可能である。また、図示しない帯状部材を、バケツ本体１２の底壁部２６から両側壁部２０に沿って延設し、側壁部２０の上縁部から突出する部分で、ハンドルあるいはショルダーベルトを形成することも可能である。
【００１４】
バケツ本体１２は、エチレン酢酸ビニル、ポリウレタン等の合成樹脂が好ましく、防水性を有する材料から形成し、バケツ本体１２を通して外部からの水の浸入を防止すると共に、バケツ本体１２に入れた水が漏れるのを防止する。この防水性合成樹脂材料は、バケツ本体１２の縦、横、深さのそれぞれの寸法がほぼ５０ｃｍ以下の大きさに形成する場合、側壁部２０の肉厚をほぼ０．５〜２．０ｍｍ程度に形成する板材で、柔軟性あるいは可撓性を有するようにする。バケツ本体１２をこのように形成することにより、十分な強度を確保しつつ持ち運びが容易な軽量構造とすることができる。
【００１５】
図４および図５に示すように、本実施形態のバケツ本体１２は、側壁部２０と底壁部２６とを縫目あるいは接合部のない一体の板材で形成するか、又は複数の板材を溶着して形成してある。このような板材は、複数のシートを貼り合わせて形成したものでもよい。この側壁部２０には、上方開口１４の周縁部を形成する上縁部の外側に沿って断面円形の金属製が好ましい剛性フレーム２８を延設し、側壁部２０を形成する板材の延長部を、この剛性フレーム２８に沿って外方に折り返し、この折返し部３０を側壁部２０の外面に固定してある。これにより、側壁部２０の上縁部は、滑らかな平面状の内側から、剛性フレーム２８および折り返し部３０を外方に突出させた湾曲断面を形成する。なお、このフレーム２８は、バケツ本体１２の底部や側壁を形成する材料よりも剛性が大きく、このバケツ本体１２の形状を保持できるものであれば、金属に限らず合成樹脂であってもよい。
【００１６】
更に、この折り返し部３０と側壁部２０との間の折り返し部３０には、止め具としてのジッパーファスナ３２の一方を形成する布テープ３２ｂを取付けてある。この布テープ３２ｂを、上記トレー１６の上端部に取付けた対応するジッパーファスナ３２の他方を形成する布テープ３２ａと噛合わせることで、上方開口１４を閉塞したトレー１６がバケツ本体１２に固定される。
【００１７】
本実施形態のトレー１６は、底壁部３４とこの底壁部の周縁部から外方に広がりつつ上方に突出する傾斜した周壁部３６とを有し、この周壁部３６とバケツ本体１２とを上述のヒンジ１７で連結してある。このトレー１６は、バケツ本体１２の上方開口１４に対応した形状を有し、周壁部３６の上縁部を覆う補強あるいは縁取り部材３８と周壁部３６との間に上述の布テープ３２ａを縫着あるいは接着等で固定してある。これにより、トレー１６が開口１４を閉塞するときに、周壁部３６の外側が開口１４の内側に添接し、バケツ本体１２の側壁部２０とトレー１６の周壁部３６とが嵌合する。そして、トレー１６の周壁部３６の上端から外側に突出する上述の布テープ３２ａは、バケツ本体１２の開口１４の縁部に当接し、トレー１６がバケツ本体１２内に落下するのを防止する突片あるいはストッパとして作用する。トレー１６の周縁部３６が、その上縁部を開口１４から突出させた状態を保持する場合には、布テープ３２ａおよび縁取り部材３８に手あるいは指を係止させてトレー１６を開閉することができ、把持部を設けることを要しない。
【００１８】
なお、このような布テープ３２ａをストッパとして作用することに代え、適宜の突部を周壁部３６の外側に設けてストッパとしてもよい。また、後述するように周壁部３６の上端側を開口１４よりも僅かに大きくした傾斜面に形成し、トレー１６の周壁部３６を開口１４の内側に添接したときに、このトレー１６をバケツ本体１２に対して保持する場合には、これらの周壁部３６と開口１４を規定する側壁部２０との係合がストッパとして作用する。このような全周にわたるファスナ３２の他にも、例えばヒンジ１７の反対側の部位等の適宜個所を部分的に連結する締結具を用いることも可能である。
【００１９】
このようなトレー１６は、エチレン酢酸ビニル、ポリウレタン等の合成樹脂の発泡体やゴム等の発泡体で形成し、または、このような発泡体の少なくとも片面に、ナイロン、ポリプロピレン等の合成樹脂の繊維からなる織布を貼着等した外層体を有するシート、あるいは、エチレン酢酸ビニル、ポリウレタン等の合成樹脂シート（又は板材）等を熱プレスにより、凹部を有する皿状あるいはトレー状の一体構造に成形し、その全体を防水構造とすることが好ましい。織布を表面に貼着することにより、熱プレスの際に角部に皺が形成されるのを防止することができる。
【００２０】
図６および図７は、このような熱プレスによる製造工程の一部を示す。
トレー１６を形成する上述の剛性樹脂の板材４８を一対の金型５０ａ，５０ｂ間に配置し、この板材４８に熱と圧力とを同時に作用させる。このように板材４８から成型されたトレー１６は、凹部を有する皿状の防水構造に形成される。そして、周壁部３６が底壁部３４から離隔する方向に広がる傾斜面で形成され、この周壁部３６と底壁部３４との遷移部が湾曲状に形成される。
【００２１】
このように形成されたトレー１６は可撓性を有し、その周壁部３６が底壁部３４から上方に向けて外方に広がる傾斜面を形成し、更に、底壁部３４と周壁部３６との間が湾曲部を形成するため、開口１４に嵌合するときに、先ず底壁部３４側がバケツ本体１２の側壁部２０と干渉することなくこの開口１４内に入る。このトレー１６を更に開口１４内に押し込むと、次第に周壁部３６がバケツ本体１２の側壁部２０の内面に接触し、僅かに凹む状態に変形する。これにより、トレー１６の周壁部３６がバケツ本体１２の側壁部２０の特に上縁部により、その周囲から押圧あるいは支持された状態に嵌合する。トレー１６はがたつくことなく上部開口１４を閉じる。更に、バケツ本体１２が変形しても、トレー１２の周壁部３６がバケツ本体１２の側壁部２０で支持されているため、バケツ本体１２の変形特に側壁部２０の変形に追従してトレー１６が変形する。これにより、バケツ本体１２が変形しても、脱落しあるいは破損することなく、上部開口１４を確実に閉ることができる。
【００２２】
このトレー１６が開口１４を閉塞したときに、このトレー１６の上方からバケツ本体１２の開口１４を覆う蓋体１８は、ヒンジ１９の反対側に設けた帯状の係合片４０を、開口１４の近部で側壁部２０の外面に設けた止め具４２に、着脱自在に係合させることで、閉塞位置に保持することができる。なお、図示の実施形態とは逆に、側壁部２０に帯状の係合片４０を取り付け、トレー１６に板あるいはシート状の止め具４２を設けてもよく、複数組の係合片４０と止め具４２とを設けてもよい。更に、トレー１６と同様なジッパーファスナを設けてもよい。
【００２３】
この蓋体１８は、開口１４およびトレー１６を覆う天板４４と、この天板の周縁部から延びてバケツ本体１２の開口１４の外側に沿って垂下するスカート４６とを有する。本実施形態では、スカート４６は天板４４の全周にわたってこの天板と一体に形成してあり、トレー１６と同様の合成樹脂シートあるいは板材を熱プレスで成形することが好ましい。また、天板４４は、蓋体１８を閉じたときすなわちトレー１６の上方からバケツ本体１２の開口を覆ったときに、トレー１６の周壁部３６を上から押えることが好ましい。これにより、トレー１６の周壁部３６で囲まれた凹部に、釣具等の適宜の釣用具を置くことができる。この凹部の内面は底壁部３４から周壁部３６にかけて湾曲状に形成されているため、凹部からの取出しが容易である。
【００２４】
このように形成された釣り用バケツ１０は、バケツ本体１２の開口１４を閉塞する際、トレー１６の周壁部３６の外側をバケツ本体１２の開口１４の内側に添接することができる。これにより、バケツ本体１２の側壁部２０とトレー１６の周壁部３６とが、その深さ方向に比較的大きな範囲で向かい合わせとなって容器本体１２の開口１４を閉塞する。このため、バケツ本体１２内で水が揺れても、これらの側壁部２０と周壁部３６との間を水が通過し難くなる。又、トレー１６が開口１４を閉塞すると、バケツ本体１２の側壁部２０の折り返し部３０に剛性フレーム２８が設けられているために、折り返し部３０がトレー１６の傾斜した周壁部３６を押圧し、変形させた状態で当接する。これにより、より水が通過し難く、また、トレー１６が開口１４から脱落し難い。
【００２５】
更に、蓋体１８を閉じた場合には、この蓋体１８の天板４４がトレー１６の上縁部を押え、トレー１６と開口１４との嵌合が緩むのを防止するため、水がこぼれ難くなる。また、蓋体１８のスカート４６が天板４４の周縁から開口１４の外側に被るように垂下するため、外部の水は、天板４４からスカート４６を伝ってバケツ本体１２の外側に落下する。これにより、バケツ本体１２内に水と魚とをいれて持運ぶ際、バケツ本体１２が揺れても、内部の水が外に零れるのを防止することができる。更に、釣り場で撒き餌を入れた状態で使用している最中に雨が降りあるいは波を被った場合であっても、バケツ本体１２内に水が浸入して撒き餌が不要な水で薄められる等の不都合が生じることもない。
【００２６】
なお、周壁部３６で規定される凹部の上方を覆うカバー体をトレー１６に設けてもよい。このようなカバー体は網目状シートで形成し、トレー１６の一端にヒンジ部材等を介して取付け、周壁部３６で囲まれたトレー１６の凹部を自在に開閉可能とすることが好ましい。このようなカバー体を設けることにより、蓋体１８を動かしたときに、凹部から釣用具が落下するのを防止することができ、また、凹部内の状態を容易に把握することができる。
【００２７】
なお、上記各釣り用バケツについて、トレー１６と蓋体１８との双方をバケツ本体１２に取付けた実施形態を説明したが、蓋体１８は省略することも可能である。この場合には、釣り用バケツの全体が持ち運びに便利な軽量構造とすることができる。また、トレー１６および蓋体１８をバケツ本体１２に取付けるヒンジ１７，１９は、バケツ本体１２に対して着脱自在としてもよい。トレー１６および蓋体１８の双方をバケツ本体１２から取外すことにより、バケツ本体１２を用いて容易に水を汲みあげることが可能となる。
【００２８】
【発明の効果】
以上明らかなように、本発明によると、持運びの際に内部の水がこぼれ難い極めて簡単な構造の釣り用バケツが提供される。
【図面の簡単な説明】
【図１】本発明の好ましい実施形態による釣り用バケツの全体構造を示す斜視図。
【図２】図１の釣り用バケツの蓋体を開いた状態の斜視図。
【図３】図１の釣り用バケツのトレーと蓋体とを開いた状態の斜視図。
【図４】図１の釣り用バケツの断面図。
【図５】図１の釣り用バケツのトレーと蓋体とを開いた状態の断面図。
【図６】板材からトレーを熱プレスする工程を示す図。
【図７】熱プレスにより、成型された状態のトレーを示す図。
【符号の説明】
１０…釣り用バケツ、１２…バケツ本体、１４…開口、１６…トレー、１８…蓋体、３６…周壁部。
【図１】
2004229510.tif 000003
【図２】
2004229510.tif 000004
【図３】
2004229510.tif 000005
【図４】
2004229510.tif 000006
【図５】
2004229510.tif 000007
【図６】
2004229510.tif 000008
【図７】
2004229510.tif 000009